(57)【要約】      （修正有）【課題】カッターナイフやマイナスドライバーでも長手方向が切断し易い羽目板を提供する。【解決手段】（イ）正面の形状は長方形状である。（ロ）長方形状の一方の長い辺に当たる部分に、他の羽目板１１の凹部１３に挿入する凸部２を設ける。（ハ）長方形状のもう一方の長い辺に当たる部分に、他の羽目板の凸部で挿入される凹部３を設ける。（ニ）羽目板１の裏面５に溝６を１以上設ける。（ホ）溝６を３以上設ける場合、溝６ｘと溝６ｙの間隔は等間隔でも不規則でもよい。（ヘ）溝６の幅は、カッターナイフの刃やマイナスドライバーの先が挿入できるように数ｍｍ程度でよい。（ト）溝６の深さは、溝６の底部の厚みが数ｍｍ程度残ればよい。（チ）溝６は羽目板１の上縁７から下縁８まで直線状に設ける。【選択図】図２
0003128089.tif 000002
【実用新案登録請求の範囲】
【請求項１】
下記の構成よりなる長手方向が切断し易い羽目板１。（イ）正面の形状は長方形状である。（ロ）長方形状の一方の長い辺に当たる部分に、他の羽目板１１の凹部１３に挿入する凸部２を設ける。（ハ）長方形状のもう一方の長い辺に当たる部分に、他の羽目板の凸部で挿入される凹部３を設ける。（ニ）羽目板１の裏面５に溝６を１以上設ける。（ホ）溝６を３以上設ける場合、溝６ｘと溝６ｙの間隔は等間隔でも不規則でもよい。（ヘ）溝６の幅は、カッターナイフの刃やマイナスドライバーの先が挿入できるように数ｍｍ程度でよい。（ト）溝６の深さは、溝６の底部の厚みが数ｍｍ程度残ればよい。（チ）溝６は羽目板１の上縁７から下縁８まで直線状に設ける。
【考案の詳細な説明】
【技術分野】
【０００１】  この考案は、長手方向が切断し易いようにあらかじめ溝を設けておく羽目板に関するものである。
【背景技術】
【０００２】  羽目板を長手方向に切断する場合、手動ノコギリや電動ノコギリなどを使用する。
【考案の開示】
【考案が解決しようとする課題】
【０００３】  これには、次のような欠点があった。  まず、手動ノコギリで羽目板を長手方向に切断する場合、切断距離が長いので真っ直ぐに切断しにくい。  次に、電動ノコギリで羽目板を長手方向に切断する場合、電動ノコギリは刃が高速回転するので、手動ノコギリよりも危険を伴う。
【課題を解決するための手段】
【０００４】  本考案は図１、図２で示すように、下記の構成よりなる長手方向が切断し易い羽目板１である。（イ）正面の形状は長方形状である。（ロ）長方形状の一方の長い辺に当たる部分に、他の羽目板１１の凹部１３に挿入する凸部２を設ける。（ハ）長方形状のもう一方の長い辺に当たる部分に、他の羽目板の凸部で挿入される凹部３を設ける。（ニ）羽目板１の裏面５に溝６を１以上設ける。（ホ）溝６を３以上設ける場合、溝６ｘと溝６ｙの間隔は等間隔でも不規則でもよい。（ヘ）溝６の幅は、カッターナイフの刃やマイナスドライバーの先が挿入できるように数ｍｍ程度でよい。（ト）溝６の深さは、溝６の底部の厚みが数ｍｍ程度残ればよい。（チ）溝６は羽目板１の上縁７から下縁８まで直線状に設ける。
【考案の効果】
【０００５】  本考案により、次の効果を生む。  本考案を使用すれば、羽目板の余り部分９を切断する場合、切断したい溝６ａにカッターナイフの刃先（図示しない）を挿入して、溝６ａの底部を切断する。  つまり溝６ａの底部から羽目板１の表面４までの距離（厚み）は数ｍｍなので、カッターナイフでも容易に切断できる。【０００６】  カッターナイフの代わりにマイナスドライバーを使用しても容易に切断できる。  切断したい溝６ａにマイナスドライバーの先（図示しない）を挿入し、テコの原理を利用して溝６ａの底部をこじ開けるようにしながら切断する。【０００７】  手動あるいは電動ノコギリを使用しないでカッターナイフやマイナスドライバーを使用すれば，羽目板１が切断できるということは、児童生徒や一般家庭においても羽目板１や羽目板１１などを使用した次のような大工仕事ができるようになる。１：校舎のコンクリートの柱１０や壁は、児童生徒がぶつかるとケガをし易い。そこで児童生徒がぶつかり易い部分のコンクリートを本考案の羽目板１や羽目板１１などで覆えばよい。図１で示すように、コンクリートの柱１０の角で羽目板に余り部分９が生じる場合、カッターナイフやマイナスドライバーで容易に余り部分９を切断できる。２：学校の技術などの学習時間に本考案の羽目板１や羽目板１１などを使用して、コンクリートの柱１０や壁を安全にできる。３：一般家庭でも自宅などのコンクリートの柱１０や壁を羽目板１や羽目板１１などで覆う作業が安全にできるようになる。
【考案を実施するための最良の形態】
【０００８】  以下、本考案を実施するための最良の形態を説明する。  本考案は下記の構成よりなっている長手方向が切断し易い羽目板１である。（イ）正面の形状は長方形状である。（ロ）長方形状の一方の長い辺に当たる部分に、他の羽目板１１の凹部１３に挿入する凸部２を設ける。（ハ）長方形状のもう一方の長い辺に当たる部分に、他の羽目板の凸部で挿入される凹部３を設ける。（ニ）羽目板１の裏面５に溝６を１以上設ける。（ホ）溝６を３以上設ける場合、溝６ｘと溝６ｙの間隔は等間隔でも不規則でもよい。（ヘ）溝６の幅は、カッターナイフの刃やマイナスドライバーの先が挿入できるように数ｍｍ程度でよい。（ト）溝６の深さは、溝６の底部の厚みが数ｍｍ程度残ればよい。（チ）溝６は羽目板１の上縁７から下縁８まで直線状に設ける。  これらを次に詳しく説明する。【０００９】（イ）正面の形状は長方形状である。（ロ）長方形状の一方の長い辺に当たる部分に、他の羽目板１１の凹部１３に挿入する凸部２を設ける。（ハ）長方形状のもう一方の長い辺に当たる部分に、他の羽目板の凸部で挿入される凹部３を設ける。  以上の（イ）（ロ）（ハ）は一般的な羽目板１１の構造なので詳しい説明は省く。【００１０】（ニ）羽目板１の裏面５に溝６を１以上設ける。（ホ）溝６を３以上設ける場合、溝６ｘと溝６ｙの間隔は等間隔でも不規則でもよい。  溝６は、あらかじめ電動ノコギリなどで設けておく。溝６ｘと溝６ｙの間隔は通常、等間隔の方が使用し易い。等間隔の場合、間隔の幅は約５ｍｍ程度がよい。図示しないが、コンクリートの柱１０の角は、間隔の幅が約５ｍｍ程度であれば、多少誤差が出ても削ることなどで対処できる。  コンクリートの柱１０や壁の形状によっては、溝６ｘと溝６ｙの間隔は不規則であってもよい。【００１１】（ヘ）溝６の幅は、カッターナイフの刃やマイナスドライバーの先が挿入できるように数ｍｍ程度でよい。  溝６を設けた羽目板１の目的は、手動あるいは電動ノコギリなどを用いないで安全に加工できることにあるから、溝６の幅は、カッターナイフの刃やマイナスドライバーの先が挿入できればよい。例示すれば２ｍｍ程度の幅でよい。【００１２】（ト）溝６の深さは、溝６の底部の厚みが数ｍｍ程度残ればよい。  溝６の底部はカッターナイフで切り裂いていける厚みがあればよい。例示すると羽目板１の厚みが約１２ｍｍの場合、溝６の深さを約９ｍｍにし、約３ｍｍは底部の厚みとして残しておく。底部の厚みが３ｍｍ程度であれば、カッターナイフで切り裂いていける。【００１３】  カッターナイフの代わりにマイナスドライバーを使用して切断する場合、切断する溝６にマイナスドライバーの先を挿入し、テコの原理を利用して溝の底部をこじ開けるようにしながら切断する。【００１４】（チ）溝６は羽目板１の上縁７から下縁８まで直線状に設ける。  溝６の底部をカッターナイフで切り裂いていくので、溝６は羽目板１の上縁７から下縁８まで直線状に設けてあれば切断し易い。【００１５】  カッターナイフの代わりにマイナスドライバーを使用して切断する場合、溝６は羽目板１の上縁７から下縁８まで直線状に設けてあれば、溝６にマイナスドライバーの先を挿入し、テコの原理を利用して溝６の底部をこじ開ける��うにすると底部の割れが直線状に走り切断しやすい。
【その他の実施例】
【００１６】  図示しないが、本考案の溝（６ａ、６ｂ、６ｃ、・６ｘ・６ｙ・・）に対応して、羽目板１の表面４に深さが１ｍｍ程度のＶ字型の溝（１６ａ、１６ｂ、１６ｃ、・・１６ｘ・１６ｙ・・）を設けても良い。  このＶ字型の溝（１６ａ、１６ｂ、１６ｃ、・・１６ｘ・１６ｙ・・）は、溝（６ａ、６ｂ、６ｃ、・６ｘ・６ｙ・・）にマイナスドライバーの先を挿入して、羽目板１を切断する場合、溝以外の部分に割れが生じるのを防ぐためである。
【図面の簡単な説明】
【００２０】
【図１】は、コンクリートの柱の角付近を本考案が覆う場合の上面図である。
【図２】は、本考案の実施例を示す背面図である。
【符号の説明】
【００３０】１  羽目板    ２  凸部    ３  凹部    ４  表面    ５  裏面６  溝（６ａ、６ｂ、６ｃ、６ｘ、６ｙ）    ７  上縁    ８  下縁９  余り部分    １０  コンクリートの柱１１  羽目板    １２  凸部    １３  凹部    １４  表面    １５  裏面
【図１】
0003128089.tif 000003
【図２】
0003128089.tif 000004